(57)【要約】      （修正有）【課題】使用機器等の制約を受けずに、消費電力を抑えるミキシング装置を提供する。【解決手段】ミキシング装置１００は、無線受信部１１０と、復調部１１２と、ＡＶ音信号が入力する音入力端子１０１と、音信号を出力する音出力端子１０３と、無線信号の復調で得られたアナウンス音信号とＡＶ音信号とをミキシングするミキサー・アンプ部１１３と、音入力端子１０１と音出力端子１０３とを電気的に接続するバイパス状態と、音入力端子１０１及び音出力端子１１３とミキサー・アンプ部１１３とを電気的に接続するミキシング状態との間で切替を行うスイッチ部１２０と、制御部１５０，１５３と、を備える。制御部は、復調部で音が検出されると、スイッチ部をミキシング状態にしてミキサー・アンプ部に電力を供給し、復調部で音が所定時間継続して検知されなくなると、スイッチ部をバイパス状態してミキサー・アンプ部への電力供給を断つ。【選択図】図２
2010177829.tif 000002
【特許請求の範囲】
【請求項１】
第一音源からの第一音信号と第二音源からの第二音信号とをミキシングするミキシング装置において、
前記第一音信号が入力する第一入力部と、
前記第二音信号が入力する第二入力部と、
音信号を出力する出力部と、
前記第一入力部に入力した前記第一音信号と前記第二入力部に入力した前記第二音信号とをミキシングするミキサーと、
前記第二入力部と前記出力部とを電気的に接続するバイパス状態と、前記第二入力部と前記ミキサーとを電気的に接続すると共に該ミキサーと該出力部とを電気的に接続するミキシング状態との間で切替を行う切替スイッチと、
前記第一入力部で、前記第一音信号の入力が検知されると、前記切替スイッチを前記ミキシング状態にすると共に、前記ミキサーに電力を供給して該ミキサーを駆動し、前記第一入力部で、前記第一音信号の入力が所定時間継続して検知されなくなると、前記切替スイッチを前記バイパス状態にすると共に、前記ミキサーへの電力供給を断つ制御部と、
を備えていることを特徴とするミキシング装置。
【請求項２】
第一音源からの第一音信号と第二音源からの第二音信号とをミキシングするミキシング装置において、
前記第一音信号が入力する第一入力部と、
前記第二音信号が入力する第二入力部と、
音信号を出力する出力部と、
前記第二入力部と音信号入力線で接続されていると共に、前記出力部と音信号出力線で接続され、前記第二入力部に入力した前記第二音信号と前記第一入力部に入力した前記第一音信号とをミキシングするミキサーと、
電源からの電力を供給可能にする接続状態と、該電源からの電力を断つ切断状態との間で切替を行うと手動電源スイッチと、
前記手動電源スイッチの動作に連動し、該手動電源スイッチが前記切断状態のときに前記音信号入力線と前記音信号出力線とを電気的に接続するバイパス状態と、該手動電源スイッチが前記接続状態のときに該音信号入力線と該音信号出力線との電気的接続を断つ非バイパス状態との間で切替を行う連動バイパススイッチと、
を備えていることを特徴とするミキシング装置。
【請求項３】
請求項２に記載のミキシング装置において、
前記連動バイパススイッチと前記ミキサーとの間に存在し、前記音信号入力線と前記音信号出力線とを電気的に接続するバイパス状態と、該音信号入力線と該ミキサーとを電気的に接続すると共に該ミキサーと該音信号出力線とを電気的に接続するミキシング状態との間で切替を行う切替スイッチと、
前記第一入力部で、前記第一音信号の入力が検知されると、前記切替スイッチを前記ミキシング状態にすると共に、前記ミキサーに電力を供給して該ミキサーを駆動し、前記第一入力部で、前記第一音信号の入力が所定時間継続して検知されなくなると、前記切替スイッチを前記バイパス状態にすると共に、前記ミキサーへの電力供給を断つ制御部と、
を備えていることを特徴とするミキシング装置。
【請求項４】
請求項１及び３のいずれか一項に記載のミキシング装置において、
前記第一音源は別個体で、該第一音源から前記第一音信号を含む無線信号が送出され、
前記第一入力部は、前記無線信号を受信する無線受信部と、該無線受信部で受信した無線信号を復調し、該無線信号から前記第一音信号を取り出して前記ミキサーへ送る復調部と、を有する、
ことを特徴とするミキシング装置。
【請求項５】
請求項４に記載のミキシング装置において、
前記制御部は、前記無線受信部に間欠的に電力を供給して該無線受信部が間欠動作する間欠動作状態と、該無線受信部に連続的に電力を供給して該無線受信部が連続動作する連続動作状態との間で状態変化させ、該無線受信部が該間欠動作状態のときに無線信号を受信すると、該無線受信部を該連続動作状態にし、該無線受信部が該連続動作状態のときに無線信号を前記所定時間継続して受信しなくなると、該無線受信部を該間欠動作状態にする、
ことを特徴とするミキシング装置。
【請求項６】
請求項４及び５のいずれか一項に記載のミキシング装置において、
前記制御部は、前記無線受信部が無線信号を受信すると、前記復調部に電力を供給して該復調部を駆動し、該無線受信部が無線信号を所定時間継続して受信しなくなるか、該復調部が音を所定時間継続して検知しなくなると、該復調部への電力供給を断つ、
ことを特徴とするミキシング装置。
【請求項７】
請求項４から６のいずれか一項に記載のミキシング装置において、
前記制御部は、前記第一入力部の前記無線受信部が無線信号を受信し、且つ前記第一入力部の前記復調部が該無線信号を復調して、音を検知すると、前記切替スイッチを前記ミキシング状態にすると共に、前記ミキサーに電力を供給して該ミキサーを駆動し、該復調部が所定時間継続して音を検知しなくなるか、該無線受信部が無線信号を所定時間継続して受信しなくなると、前記切替スイッチを前記バイパス状態にすると共に、前記ミキサーへの電力供給を断つ、
ことを特徴とするミキシング装置。
【請求項８】
請求項１、３から７のいずれか一項に記載のミキシング装置において、
前記第二音源は、別個体の音源であり、
前記第二入力部は、別個体の前記第二音源からの音信号ケーブルが接続される音入力端子である、
ことを特徴とするミキシング装置。
【請求項９】
請求項１、３から８のいずれか一項に記載のミキシング装置において、
前記出力部は、音信号を音として出力するスピーカを有する再生装置からの音信号ケーブルが接続される音出力端子である、
ことを特徴とするミキシング装置。
【請求項１０】
請求項９に記載のミキシング装置において、
前記音出力端子に、前記再生装置からの前記音信号ケーブルが接続されたか否かを検知する接続検知部を備え、
前記制御部は、前記接続検知部により前記音信号ケーブルの接続が検知されると、前記切替スイッチを前記バイパス状態にする、
ことを特徴とするミキシング装置。
【請求項１１】
請求項１、３から１０のいずれか一項に記載のミキシング装置において、
前記切替スイッチは、ＣＭＯＳスイッチを有している、
ことを特徴とするミキシング装置。
【請求項１２】
請求項１１に記載のミキシング装置において、
正負の電力を生成する双極電源を備え、
前記ＣＭＯＳスイッチは、正負の電力で駆動する双電極ＣＭＯＳスイッチである、
ことを特徴とするミキシング装置。
【発明の詳細な説明】
【技術分野】
【０００１】
本発明は、二つの音源からの音信号をミキシングするミキシング装置に関する。
【背景技術】
【０００２】
近年、列車やバスなどの公共交通機関内で、ヘッドホンを携帯機器に接続して音楽やテレビ音声やゲーム音声等のエンターテイメント音響を楽しむ光景がよくみられる。
【０００３】
一般的な公共交通機関では、車両内のスピーカーでの音声放送により、次の停車駅のアナウンスや運行状況のアナウンスを伝える。しかし、前述のように、ヘッドホンでエンターテイメント音響を楽しんでいる場合には、エンターテイメント音響の音量を上げ過ぎると、アナウンスを聞き逃し、逆に、アナウンスも聞けるように、エンターテインメント音響の音量を下げると、アナウンス音以外の周囲の音が入り、エンターテイメント音響を楽しめなくなる。
【０００４】
そこで、以下の特許文献1では、携帯電話に記憶されている音楽と車内アナウンスとをミキシングして、携帯電話に接続されているイヤホンに、このミキシングした音を流す技術が開示されている。この技術では、利用者が乗車時に携帯電話から予めサービス提供システムに目的地や携帯電話番号を登録しておき、目的地への到着予定時刻に近くなると、サービス提供システムから利用者の携帯電話に、到着お知らせメールを送信し、携帯電話のＦＭ受信部を起動させて、車内ＦＭ放送を受信させ、そのときに音楽再生中ならば、車内放送と再生中の音楽とをミキシングして、イヤホンから出力させている。
【０００５】
上記技術の他、無線信号による音声と外部入力端子から入力した音とをミキシングして出力する装置として、会議やダンスのレッスン等に利用されるワイヤレスアンプと呼ばれる装置がある。このワイヤレスアンプは、外部音入力端子に接続されたＣＤプレーヤー等からの音と、ワイヤレスマイクから無線受信した発言者の音声とをミキシングして、音響スピーカー等からミキシングした音を出力し、多人数にＣＤプレーヤー等からの音と発言者の音声と同時に聞かせる装置である。
【先行技術文献】
【特許文献】
【０００６】
【特許文献１】特開2005−259000号公報
【発明の概要】
【発明が解決しようとする課題】
【０００７】
しかしながら、特許文献１に記載の技術では、わざわざ、サービス提供システムに対して登録手続を行う必要があり、利用者に負担を強いる上に、電子メールを受信できる機能を備えた装置でなければ利用できず、使用機器に制約があるという問題点がある。
【０００８】
また、ワイヤレスアンプと呼ばれる装置では、上記特許文献１に記載の技術のように、利用者の負担がないものの、消費電力が大きく、公共交通機関内等で利用するための携帯性が損なわれるという問題点がある。
【０００９】
そこで、本発明は、以上のような従来技術の問題点に着目し、消費電力を抑えることができ、携帯性の高いミキシング装置を提供することを目的とする。さらに、好ましくは、電子メールを受信するという制約を受けないミキシング装置を提供することを目的とする。
【課題を解決するための手段】
【００１０】
前記目的を達成するため、第一の発明に係るミキシング装置は、
第一音源からの第一音信号が入力する第一入力部と、
第二音源からの第二音信号が入力する第二入力部と、
音信号を出力する出力部と、
前記第一入力部に入力した前記第一音信号と前記第二入力部に入力した前記第二音信号とをミキシングするミキサーと、
前記第二入力部と前記出力部とを電気的に接続するバイパス状態と、前記第二入力部と前記ミキサーとを電気的に接続すると共に該ミキサーと該出力部とを電気的に接続するミキシング状態との間で切替を行う切替スイッチと、
前記第一入力部で、前記第一音信号の入力が検知されると、前記切替スイッチを前記ミキシング状態にすると共に、前記ミキサーに電力を供給して該ミキサーを駆動し、前記第一入力部で、前記第一音信号の入力が所定時間継続して検知されなくなると、前記切替スイッチを前記バイパス状態にすると共に、前記ミキサーへの電力供給を断つ制御部と、
を備えていることを特徴とする。
【００１１】
また、前記目的を達成するため、第二の発明に係るミキシング装置は、
第一音源からの第一音信号が入力する第一入力部と、
第二音源からの第二音信号が入力する第二入力部と、
音信号を出力する出力部と、
前記第二入力部と音信号入力線で接続されていると共に、前記出力部と音信号出力線で接続され、前記第二入力部に入力した前記第二音信号と前記第一入力部に入力した前記第一音信号とをミキシングするミキサーと、
電源からの電力を供給可能にする接続状態と、該電源からの電力を断つ切断状態との間で切替を行うと手動電源スイッチと、
前記手動電源スイッチの動作に連動し、該手動電源スイッチが前記切断状態のときに前記音信号入力線と前記音信号出力線とを電気的に接続するバイパス状態と、該手動電源スイッチが前記接続状態のときに該音信号入力線と該音信号出力線との電気的接続を断つ非バイパス状態との間で切替を行う連動バイパススイッチと、
を備えていることを特徴とする。
【００１２】
ここで、第二の発明に係るミキシング装置は、
前記連動バイパススイッチと前記ミキサーとの間に存在し、前記音信号入力線と前記音信号出力線とを電気的に接続するバイパス状態と、該音信号入力線と該ミキサーとを電気的に接続すると共に該ミキサーと該音信号出力線とを電気的に接続するミキシング状態との間で切替を行う切替スイッチと、
前記第一入力部で、前記第一音信号の入力が検知されると、前記切替スイッチを前記ミキシング状態にすると共に、前記ミキサーに電力を供給して該ミキサーを駆動し、前記第一入力部で、前記第一音信号の入力が所定時間継続して検知されなくなると、前記切替スイッチを前記バイパス状態にすると共に、前記ミキサーへの電力供給を断つ制御部と、
を備えていることが好ましい。
【００１３】
また、以上のミキシング装置は、
前記第一音源は別個体で、該第一音源から前記第一音信号を含む無線信号が送出され、
前記第一入力部は、前記無線信号を受信する無線受信部と、該無線受信部で受信した無線信号を復調し、該無線信号から前記第一音信号を取り出して前記ミキサーへ送る復調部と、を有し、
前記制御部は、前記無線受信部に間欠的に電力を供給して該無線受信部が間欠動作する間欠動作状態と、該無線受信部に連続的に電力を供給して該無線受信部が連続動作する連続動作状態との間で状態変化させ、該無線受信部が該間欠動作状態のときに無線信号を受信すると、該無線受信部を該連続動作状態にし、該無線受信部が該連続動作状態のときに無線信号を前記所定時間継続して受信しなくなると、該無線受信部を該間欠動作状態にする、ことが好ましい。さらに、前記制御部は、前記無線受信部が無線信号を受信すると、前記復調部に電力を供給して該復調部を駆動し、該無線受信部が無線信号を所定時間継続して受信しなくなるか、該復調部が音を所定時間継続して検知しなくなると、該復調部への電力供給を断つ、ことが好ましい。
【００１４】
以上、本発明では、第一音信号の入力が検知されず、ミキシングが不要のときには、第二入力部からの第二音信号が切替スイッチ又は連動バイパススイッチを介して出力され、ミキサーへの電力供給を断つことができるので、消費電力を抑えることができる。また、第一音入力部として無線受信部及び復調部、これらを制御する制御部を備えているものでは、ミキシング装置に電源が入っていれば、常に、間欠動作か連続動作しているので、従来技術のように、電子メールの受信で無線受信部を起動させる必要はなくなり、この電子メールサービスを受けるための登録手続を無くすことができると共に、電子メール受信機能の必要性も無くすことができる。
【発明を実施するための形態】
【００１５】
以下、本発明に係るミキシング装置の各種実施形態について、図面を用いて説明する。
【００１６】
「第一実施形態」
本発明に係るミキシング装置の第一実施形態について、図１〜図４を用いて説明する。
【００１７】
まず、図１を用いて、本実施形態のミキシング装置１００の使用環境について説明する。
【００１８】
例えば、複数の車両１ａ,１ｂ，１ｃのうち、複数の車両１ａの一部に車掌室２が設けられ、車両１ｂ，１ｃが客車であり、これらの車両１ｂ，１ｃ内でミキシング装置１００が使用されるものとする。
【００１９】
車掌Ｃの居る車掌室２には、マイク１１を備えた放送卓１０が設けられ、各車両１ｂ，１ｃには、アンプ１３と、このアンプ１３に接続されている複数のスピーカー１４，１４，…と、車内無線放送器１５と、この車内無線放送器１５から伸びている無線アンテナ１６と、が設けられている。放送卓１０には、放送スイッチやエンコーダ等が設けられている。放送卓１０とアンプ１３及び車内無線放送器１５とは、信号ケーブル１２で接続されている。
【００２０】
本実施形態のミキシング装置１００は、音出力端末である携帯オーディオプレーヤー２０からのＡＶ音をヘッドホン３０を用いて聞く客Ｇにより使用される。このミキシング装置１００は、車内無線放送器１５からの無線信号に含まれているアナウンス音信号と、携帯オーディオプレーヤー２０からのＡＶ信号とをミキシングして、客Ｇが使用しているヘッドホン３０に、ミキシング音を出力する。
【００２１】
ミキシング装置１００は、図２に示すように、携帯オーディオプレーヤー２０から伸びるオーディオケーブル２１が接続される音入力端子１０１と、ヘッドホン３０から伸びるヘッドホンケーブル３１が接続される音出力端子１０３と、車内無線放送器１５からの無線信号を受信する無線受信部１１０と、無線受信部１１０が受信した無線信号を復調する復調部１１２と、復調により得られたアナウンス音信号と音入力端子１０１から入力したＡＶ信号とをミキシングするミキサー・アンプ部１１３と、音出力端子１０３から出力する音信号の切替等を行うスイッチ部１２０と、各部へ電力を供給する電源１３０と、音出力端子１０３へのヘッドホンケーブル３１の接続を検知する接続検知部１４０と、各部への電力供給等を制御する主制御部１５０と、主制御部１５０からの指示に従って無線受信部１１０への電力供給を制御する無線受信電力制御部１５１と、主制御部１５０からの指示に従って復調部１１２への電力供給を制御する復調電力制御部１５２と、主制御部１５０からの指示に従ってミキサー・アンプ部１１３への電力供給を制御するミキサー電力制御部１５３と、主制御部１５０からの指示に従ってスイッチ部１２０への電力供給を制御するスイッチ電力制御部１５４と、主制御部１５０からの指示に従ってスイッチ部１５５の動作を制御するスイッチ制御部１５５と、を備えている。
【００２２】
ミキサー・アンプ部１１３は、音入力端子１０１と音信号入力線１０２で接続されていると共に、音出力端子１０３と音信号出力線１０４で接続されている。
【００２３】
スイッチ部１２０は、バイパススイッチ１２１と、第一及び第二ミキシングスイッチ１２２，１２３とを有している。バイパススイッチ１２１は、音信号入力線１０２と音信号出力線１０４とを電気的に接続するバイパス状態と、両信号線１０２，１０４との電気的接続を断つ非バイパス状態との間で切替を行い、第一ミキシングスイッチ１２２は、音信号入力線１０２中に配置され、音信号入力端子１０１とミキサー・アンプ部１１３とを電気的に接続するミキシング状態と、音信号入力端子１０１とミキサー・アンプ部１１３との電気的接続を断つ非ミキシング状態との間で切替を行い、第二ミキシングスイッチ１２３は、音信号出力線１０４中に配置され、音信号出力端子１０３とミキサー・アンプ部１１３とを電気的に接続するミキシング状態と、音信号出力端子１０４とミキサー・アンプ部１１３との電気的接続を断つ非ミキシング状態との間で切替を行う。
【００２４】
スイッチ部１２０の各スイッチ１２１，１２２，１２３として、ＣＭＯＳスイッチが用いられている。各スイッチ１２１，１２２，１２３として、スイッチ２極性の機械式ミニチュアリレーを用いてもよいが、このリレーは、１５mm角で高さが１０mmであり、比較的大きなものなので、ミキシング装置１００の携帯性を高める意味では好ましくない。また、このリレーは、ＣＭＯＳスイッチに比べて、スイッチ切替動作が遅い点でも好ましくない。
【００２５】
電源１３０は、各部と電源線１３１で接続されている。
【００２６】
なお、図２及び図３では、音入力端子１０１、音出力端子１０３、ミキサー・アンプ部１１３、スイッチ部１２０を、それぞれ、左耳用として一つずつしか描いていないが、実際には、左右の両耳用として、これらは二つずつ設けられている。
【００２７】
次に、本実施形態のミキシング装置１００の動作について説明する。
【００２８】
まず、図２及び図４に従って、ミキシング装置１００の電源スイッチがオンになってから、車内無線放送器１５からの無線信号を受信する前までの動作について説明する。
【００２９】
ミキシング装置１００の電源スイッチがオンになると、電源１３０からの電力が接続検知部１４０、主制御部１５０及び各電力制御部等１５１〜１５５に供給され、これらが駆動開始する。そして、主制御部１５０は、無線受信電力制御部１５１に対して、省電力モード対応の電力制御信号５１を出力する。無線受信電力制御部１５１は、この電力制御信号５１を受信すると、無線受信部１１０に対して間欠的に電力供給を開始して、無線受信部１１０を間欠的動作させる（Ｓ１０）。また、接続検知部１４０は、音出力端子１０３にヘッドホンケーブル３１が接続されたか否かの検知を開始する。
【００３０】
接続検知部１４０は、音出力端子１０３へのヘッドホンケーブル３１の接続を検知すると、主制御部１５０に接続検知信号５０を出力する。主制御部１５０は、この接続検知信号５０を受け取ると、スイッチ電力制御部１５４に対して電力制御信号５４を出力すると共に、スイッチ制御部１５５に対して、バイパス状態を指示するスイッチ制御信号５５を出力する。スイッチ電力制御部１５４は、この電力制御信号５４を受け取ると、スイッチ部１２０に電力供給を開始する。また、スイッチ制御部１５５は、このスイッチ制御信号５５を受け取ると、スイッチ部１２０をバイパス状態（Ｓ１１，Ｓ１２）にする。ここで、スイッチ部１２０のバイパス状態とは、図２に示すように、バイパススイッチ１２１がオン状態（前述のバイパス状態、Ｓ１１）で、第一ミキシングスイッチ１２２及び第二ミキシングスイッチ１２３がオフ状態（前述の非ミキシング状態、Ｓ１２）のことである。
【００３１】
このバイパス状態のときに、携帯オーディオプレーヤー２０がオンで、この携帯オーディオプレーヤー２０から伸びるオーディオケーブル２１が音入力端子１０１に接続されていると、携帯オーディオプレーヤー２０からのＡＶ信号が、音入力端子１０１、スイッチ部１２０のバイパススイッチ１２１、及び音出力端子１０３を経て、ヘッドホン３０に送られる（Ｓ１３）。すなわち、客Ｇは、携帯オーディオプレーヤー２０で再生しているＡＶ音を、ミキシング装置１００を介して、ヘッドホン３０で聞くことができる。
【００３２】
前述したように、ミキシング装置１００の電源スイッチがオンになると、無線受信部１１０は間欠動作する（Ｓ１０）。ここで、間欠動作とは、無線受信部１１０がオン状態とオフ状態又はスリープ状態とを繰り返す動作である。なお、スリープ状態とは、無線受信部１１０に微弱電力を供給し、無線受信部１１０を直ちにオン状態にできる状態にしておくことである。
【００３３】
次に、図３及び図４に従って、ミキシング装置１００が車内無線放送器１５からの無線信号を受信してからの動作について説明する。
【００３４】
車内無線放送器１５が無線信号を無線アンテナ１６から送信開始し（Ｓ１４）、間欠動作中でオン状態の無線受信部１１０がこの無線信号の受信を検知すると（Ｓ１４ａ）、無線検知信号６１を主制御部１５０に出力する。主制御部１５０は、この無線検知信号６１を受け取ると、ミキシングモードでの制御を開始し、無線受信電力制御部１５１に対して、ミキシングモード対応の電力制御信号５１ａを出力すると共に、復調電力制御部１５２に対して、電力を供給する旨を示す電力制御信号５２を出力する。無線受信電力制御部１５１は、この電力制御信号５１ａを受信すると、無線受信部１１０に対して連続電力供給を開始して、無線受信部１１０を連続動作させる（Ｓ１５）。また、復調電力制御部１５２は、この電力制御信号５２を受信すると、復調部１１２に電力供給を開始して、この復調部１１２を動作させ、無線受信部１１０が受信した無線信号６５の復調を開始させる（Ｓ１６）。
【００３５】
車内無線放送器１５からの無線信号にアナウンス音信号が含まれるようになると（Ｓ１７）、復調部１１２は、この無線信号６５から左耳用のアナウンス音信号６６と右耳用のアナウンス音信号６７を復調し、これら音信号６６，６７を対応するミキサー・アンプ部１１３へ送る。そして、復調部１１２は、これらのアナウンス音信号６６，６７を検知すると（Ｓ１７ａ）、音検知信号６２を主制御部１５０へ送る。なお、本実施形態では、ミキシング装置１００の電源スイッチがオンになってから、復調部１１２が音を検知するまでが、省電力モードであり、復調部１１２が音を検知すると、ミキシングモードになる。
【００３６】
主制御部１５０は、この音検知信号６２を受け取ると、スイッチ制御部１５５にミキシング状態を指示するスイッチ制御信号５５ａを出力すると共に、ミキサー電力制御部１５３に電力制御信号５３を出力する。
【００３７】
スイッチ制御部１５５は、このスイッチ制御信号５５ａを受け取ると、スイッチ部１２２をミキシング状態（Ｓ１８，Ｓ１９）にする。ここで、スイッチ部１２０のミキシング状態とは、図３に示すように、バイパススイッチ１２１がオフ状態（前述の非バイパス状態、Ｓ１８）で、第一ミキシングスイッチ１２２及び第二ミキシングスイッチ１２３がオン状態（前述のミキシング状態、Ｓ１９）のことである。この結果、音入力端子１０１に入力したＡＶ信号は、第一ミキシングスイッチ１２２を介してミキサー・アンプ部１１３に入力するようになり、このミキサー・アンプ部１１３からの音信号が第二ミキシングスイッチ１２３を介して音出力端子１０３から出力するようになる。
【００３８】
また、ミキサー電力制御部１５３は、前述した電力制御信号５３を受け取ると、ミキサー・アンプ部１１３に電力供給を開始して、このミキサー・アンプ部１１３を動作させる（Ｓ２０）。このミキサー・アンプ部１１３は、音入力端子１０１からのＡＶ信号（図の例では左耳用のＡＶ信号）と復調部１１２からのアナウンス音信号（図の例では左耳用の音信号）６６をミキシングして、ミキシング音信号６８を出力する。このミキシング音信号６８は、前述したように、第二ミキシングスイッチ１２３を介して、音出力端子１０３から出力される（Ｓ２１）。すなわち、客Ｇは、携帯オーディオプレーヤー２０で再生しているＡＶ音と、無線信号で送られてきたアナウンス放送とがミキシングされた音をヘッドホン３０で聞くことができる。なお、ミキシング音は、客Ｇに車内アナウンス放送を明確に聞かせるために、ミキサー・アンプ部１１３により、ＡＶ音の音量レベルが下げられている。これは、ミキサー・アンプ部１１３によるミキシング時の音量比率を変えることで実現できる。
【００３９】
車内アナウンスが終了して無音になると（Ｓ２２）、復調部１１２は所定時間音を検知できなくなる（Ｓ２３）。主制御部１５０は、復調部１１２から音検知信号６２を所定時間受け取らないと、ミキサー電力制御部１５３への電力制御信号５３の送信を断つと共に、スイッチ制御部１５５へバイパス状態を指示するスイッチ制御信号５５を送る。
【００４０】
この結果、ミキサー・アンプ部１１３は、電力供給が断たれ、動作を停止する（Ｓ２４）。また、スイッチ部１２０は、元のバイパス状態に戻る（Ｓ２５，Ｓ２６）。すなわち、ミキシング装置１００は、ミキシングモードから省電力モードへ移行する。なお、車内アナウンスが終了して無音になってから（Ｓ２２）、ミキサー・アンプ部１１３が動作を停止し（Ｓ２４）、スイッチ部１２０がバイパス状態になる（Ｓ２５，Ｓ２６）までの間、客Ｇは、一時的にミキシング音として、音量レベルが下がられたＡＶ音のみを聞くことになる。また、ミキサー・アンプ部１１３が動作を停止し（Ｓ２４）、スイッチ部１２０がバイパス状態になると（Ｓ２５，Ｓ２６）、客Ｇは、携帯オーディオプレーヤー２０で再生しているＡＶ音を、ミキシング装置１００のバイパススイッチ１２１を介して、元の音量レベルで聞けるようになる。
【００４１】
さらに、車内アナウンス放送が終了して無線信号が送信されなくなると（Ｓ２７）、無線受信部１１０は所定時間無線信号を受信できなくなる（Ｓ２８）。主制御部１５０は、無線受信部１１０から無線受信信号６１を所定時間受け取らないと、復調電力制御部１５２への電力制御信号５４の送信を断つと共に、無線受信電力制御部１５１へ省電力モード対応の電力制御信号５１を送る。
【００４２】
この結果、復調部１１２は、電力供給が断たれ、動作を停止する（Ｓ２９）。また、無線受信部１１０は、元の間欠動作状態に戻る（Ｓ３０）。
【００４３】
以上のように、本実施形態では、無線受信部１１０は、ミキシング装置１００に電源が入っていれば、常に、間欠動作か連続動作しているので、従来技術のように、電子メールの受信で無線受信部を起動させる必要はなくなり、この電子メールサービスを受けるための登録手続を無くすことができると共に、電子メール受信機能の必要性も無くすことができる。
【００４４】
また、本実施形態では、ミキシング装置１００は、ミキシングが不要のときには、省電力モードになるため、無線受信部１１０、復調部１１２、ミキサー・アンプ部１１３での消費電力を抑えることができる。
【００４５】
具体的に、本実施形態において、仮に、電源１３０の電圧が3.7ｖで、無線受信部１１０のオン状態とスリープ状態との時間比が1：9で、無線受信部１１０のオン状態での消費電流が15mA、無線受信部１１０のスリープ状態での消費電流が0.5mA、復調部１１２の消費電流が0.54mA、左右用の２個でのミキサー・アンプ部１１３の消費電流が16.2mA、左右用の２個でのスイッチ部１２０の消費電流が0.54mA、平均乗車時間と車内アナウンス時間（ミキシングモードの時間）との比が１：２０であるとする。
【００４６】
まず、スイッチ部１２０が存在せず、無線受信部１１０、復調部１１２、ミキサー・アンプ部１１３が常時動作し、しかも、無線受信部１１０は連続動作する場合の消費電力について考察する。
【００４７】
この場合、無線受信部１１０の消費電力が55.5（＝15×3.7）mW、復調部１１２の消費電力2.0（＝0.54×3.7）mW、ミキサー・アンプ部１１３の消費電力が60.0（＝16.2×3.7）mWとなる。したがって、この場合の合計消費電力は117.5（＝55.5＋2.0＋60.0）mWになる。
【００４８】
次に、本実施形態での消費電力について考察する。
【００４９】
無線受信部１１０の省電力モード時、つまり間欠動作時での平均消費電流は、前述したように、無線受信部１１０のオン状態とスリープ状態との時間比が1：9であるので、7.2（＝（1×15×3.7＋9×0.5×.3.7）/（1＋9））mWになる。また、無線受信部１１０の乗車時間中での平均消費電力は、前述したように、平均乗車時間と車内アナウンス時間（ミキシングモードの時間）との比が１：２０であるので、9.6（＝（19×7.2＋1×15×3.7）/（19＋1））mAになる。また、復調部１１２の乗車時間中での平均消費電力は0.1（＝2.0/20）mWになり、ミキサー・アンプ部１１３の乗車時間中での平均消費電力は2（＝60.0/20）mWになる。また、スイッチ部１２０は、乗車時間中、常時電力が供給されているので、このスイッチ部１２０の乗車時間中での平均消費電力2.0（＝0.54×3.7）mWになる。したがって、本実施形態での合計消費電力は20.9（＝7.2＋9.6＋0.1＋2.0＋2.0）mWとなる。
【００５０】
このように、本実施形態では、スイッチ部１２０が存在せず且つ省電力モードを採用しない場合と比べて、大幅に消費電力を抑えることができる。
【００５１】
なお、本実施形態において、ミキサー・アンプ部１１３の動作停止（Ｓ２４）、スイッチ部１２０のバイパス状態への移行（Ｓ２５，Ｓ２６）、復調部１１２の動作停止（Ｓ２９）、無線受信部１１０の間欠動作への移行（Ｓ３０）は、復調部１１２から音検知信号６２が所定時間送られなくなったときのみ実行してもよいし、無線受信部１１０から無線受信信号６１が所定時間送られなかったときのみ実行してもよいし、復調部１１２から音検知信号６２が所定時間送られなくなったか、無線受信部１１０から無線受信信号６１が所定時間送られなかったときに実行してもよい。
【００５２】
「第二実施形態」
本発明に係るミキシング装置の第二実施形態について、図５〜図７を用いて説明する。
【００５３】
本実施形態のミキシング装置１００ａは、図５に示すように、第一実施形態のミキシング装置１００に、電源スイッチ１２６に連動して動作する連動バイパススイッチ１２５を設けたものである。
【００５４】
電源スイッチ１２６は、電源線１３１中で最も電源１３０側に配置されている。連動バイパススイッチ１２５は、スイッチ部１２０よりも、音入力端子１０１及び音出力端子１０３側に配置され、音信号入力線１０２と音信号出力線１０４とを電気的に接続するバイパス状態と、両信号線１０２，１０４間の電気的接続を断つ非バイパス状態との間で切替を行う。この連動バイパススイッチ１２５は、電源スイッチ１２６に連動し、この電源スイッチ１２６が接続状態（オン状態）になると、非バイパス状態（オフ状態）になり、この電源スイッチ１２６が切断状態（オフ状態）になると、バイパス状態（オン状態）になる。
【００５５】
このため、電源スイッチ１２６が切断状態（オフ状態）でも、図５及び図７に示すように、携帯オーディオプレーヤー２０からのＡＶ信号が、音入力端子１０１、連動バイパススイッチ１２５及び音出力端子１０３を経て、ヘッドホン３０に送られる。すなわち、客Ｇは、携帯オーディオプレーヤー２０で再生しているＡＶ音を、電源が入っていない状態のミキシング装置１００を介して、ヘッドホン３０で聞くことができる。
【００５６】
また、電源スイッチ１２６が接続状態（オン状態）になると、連動バイパススイッチ１２５は、前述したように、非バイパス状態（オフ状態）になり、第一実施形態と同じ状態になるため、以降、本実施形態のミキシング装置１００ａは、第一実施形態のミキシング装置１００と同様の動作をする。
【００５７】
以上のように、本実施形態では、ミキシング装置１００ａに電源を入れていない状態でも、このミキシング装置１００ａを介して、携帯オーディオプレーヤー２０からのＡＶ音をヘッドホン３０で聞けるため、第一実施形態よりも、さらに省電力化を図ることができると共に、携帯オーディオプレーヤー２０及びヘッドホン３０とミキシング装置１００ａと常時接続状態しても何ら弊害がなく、利用者よる携帯オーディオプレーヤー２０及びヘッドホン３０とミキシング装置１００ａとの接続/非接続処理の手間を軽減することができる。
【００５８】
次に、本実施形態におけるスイッチ部１２０及び電源１３０の詳細について、図６を用いて説明する。
【００５９】
スイッチ部１２０の各スイッチ１２１，１２２，１２３は、第一実施形態で述べたように、ＣＭＯＳスイッチである。このＣＭＯＳスイッチには、単電極ＣＭＯＳスイッチと双電極ＣＭＯＳスイッチとがあり、スイッチ部１２０の各スイッチ１２１，１２２，１２３として、いずれでも利用できる。
【００６０】
ところで、単電極ＣＭＯＳスイッチは、正電圧の電力のみを通し、双電極ＣＭＯＳスイッチは、正/負の電力を通す。このため、仮に、スイッチ部１２０の全てのスイッチ１２１，１２２，１２３に単電極ＣＭＯＳスイッチを用いた場合、携帯オーディオプレーヤー２０からのＡＶ信号は０ｖを基準にして正負に変化するため、ＡＶ信号やミキシング信号にバイアス電圧かけて、正電圧の信号のみにする必要がある。そのためには、カップリングコンデンサで、音入力端子１０１や音出力端子１０３等と単電極ＣＭＯＳスイッチとを交流接続し、この単電極ＣＭＯＳスイッチに正の直流をかける。しかし、ヘッドホン３０の抵抗は、例えば、１６Ω或いは３２Ω程度と低いため、カップリングコンデンサは、容量が1000μＦ程度の大きなものが必要で、20mm角程度の大きさになる。スイッチ部１２０の全てのスイッチ１２１，１２２，１２３に単電極ＣＭＯＳスイッチを用いた場合、左右の耳用として、合計６個のカップリングコンデンサが必要になり、これによるスペース占有率はばかにならない。このため、単電極ＣＭＯＳスイッチは、その駆動電源として、正電力のみを供給するものであれば利用できるので、電源の構造が簡単になるものの、携帯性の面であまり好ましくない。
【００６１】
そこで、本実施形態では、電源の構造が若干複雑になるものの、携帯性を考慮して、バイパススイッチ１２１及び第二ミキシングスイッチ１２３に双電極ＣＭＯＳスイッチを採用している。
【００６２】
図６に示すように、電源１３０は、単電電源である主電源１３０ａと、この主電源１３０ａからの電力を用いて、正負の電力を生成する双極電源（デュアル電源）１３０ｂとを有している。双極電源１３０ｂは、電源スイッチ１２６を介して、主電源１３１と電源線１３１で接続されている。主電源１３０ａとしては、例えば、携帯電話等に利用されている3.7ｖのリチウムイオン電池を用いる。また、双極電源１３０ｂとしては、例えば、3.7ｖの電力から、＋5ｖ及び-5ｖの電力を生成するDC/DCコンバーターを用いる。
【００６３】
スイッチ電力制御部１５４は、単電極スイッチ電力制御部１５４ａと、双電極スイッチ電力制御部１５４ｂとを有している。単電極スイッチ電力制御部１５４ａは、電源線１３１を介して主電源１３０ａに接続されていると共に、単電極ＣＭＯＳスイッチである第一ミキシングスイッチ１２２と接続されている。また、双電極スイッチ電力制御部１５４ｂは、双極電源１３０ｂに接続されていると共に、双電極ＣＭＯＳスイッチであるバイパススイッチ１２１及び第二ミキシングスイッチ１２３に接続されている。すなわち、双電極ＣＭＯＳスイッチであるバイパススイッチ１２１及び第二ミキシングスイッチ１２３には、双電極スイッチ電力制御部１５４ｂを介して、双極電源１３０ｂからの＋5ｖ及び-5ｖの電力を供給できるようになっている。
【００６４】
本実施形態では、前述したように、スイッチ部１２０の第一ミキシングスイッチ１２２として、単電極ＣＭＯＳスイッチを用いている。このため、音入力端子１０１からのＡＶ信号にバイアス電圧をかける必要性から、音入力信号線１０２にカップリングコンデンサ１２４を配置している。この第一ミキシングスイッチ１２２に接続されているミキサー・アンプ部１１３は、入力インピーダンスが大きく数ｋΩ以上となるので、このカップリングコンデンサ１２４は、容量が１０μＦ程度で十分であり、寸法が小さい。
【００６５】
したがって、スイッチ部１２０の全てのスイッチ１２１，１２２，１２３に単電極ＣＭＯＳスイッチを用いた場合と比べて、10mm角以下の１個のDC/DCコンバーター（双極電源１３０ｂ）が必要になるものの、大きなカップリングコンデンサを多数用いなくて済むので、携帯性を向上させることができる。
【００６６】
双電極ＣＭＯＳスイッチの消費電力は、0.5mW程度と低く、左右の音声対応で４台使用しても2.0mW程度である。また、単電極ＣＭＯＳスイッチの消費電力は1μW程度で、双電極ＣＭＯＳスイッチの消費電力と比較すると無視できる値である。このため、本実施形態のスイッチ部１２０の消費電力は、2.0mW程度となる。
【００６７】
なお、ここでは、第二実施形態のスイッチ部１２０及び電源１３０の構成について説明したが、第一実施形態のスイッチ部１２０及び電源１３０に関しても、本実施形態と同様の構成を採用してもよい。
【００６８】
また、以上の実施形態では、音出力端末として、携帯オーディオプレーヤー２０を例にしたが、本発明はこれに限定されるものではなく、音を出力する端末であれば、携帯テレビ、ラジオ、携帯ゲーム機等、如何なるものでもよい。
【００６９】
また、以上の実施形態では、音出力端末とミキシング装置とが別体であるが、音出力端末内に、以上で説明したミキシング装置を搭載してもよい。
【図面の簡単な説明】
【００７０】
【図１】本発明に係る第一実施形態におけるミキシング装置の使用環境を示す概念図である。
【図２】本発明に係る第一実施形態におけるミキシング装置（省電力モード）の回路図である。
【図３】本発明に係る第一実施形態におけるミキシング装置（ミキシングモード）の回路図である。
【図４】本発明に係る第一実施形態におけるミキシング装置の各部の動作タイムチャートである。
【図５】本発明に係る第二実施形態におけるミキシング装置の回路図である。
【図６】本発明に係る第二実施形態におけるスイッチ部及び電源の詳細回路図である。
【図７】本発明に係る第二実施形態におけるミキシング装置の各スイッチの動作タイムチャートである。
【符号の説明】
【００７１】
１ａ，１ｂ,１ｃ：車両、２：車掌室、１０：放送卓、１１：マイク、１３：アンプ、１４：スピーカー、１５：車内無線放送器、２０：携帯オーディオプレーヤー、３０：ヘッドホン、１００，１００ａ：ミキシング装置、１１０：無線受信部、１１２：復調部、１１１３：ミキサー・アンプ部、１２０：スイッチ部、１２１：バイパススイッチ、１２２：第一ミキシングスイッチ、１２３：第二ミキシングスイッチ、１２５：連動バイパススイッチ、１２６：手動電源スイッチ、１３０：電源、１３０ａ：主電源、１３０ｂ：双極電源、１３１：電源線、１４０：接続検知部、１５０：主制御部、１５１：無線受信電力制御部、１５２：復調電力制御部、１５３：ミキサー電力制御部、１５４：スイッチ電力制御部、１５４ａ：単電極スイッチ電力制御部、１５４ｂ：双電極スイッチ制御部、１５５：スイッチ制御部
【図１】
2010177829.tif 000003
【図２】
2010177829.tif 000004
【図３】
2010177829.tif 000005
【図４】
2010177829.tif 000006
【図５】
2010177829.tif 000007
【図６】
2010177829.tif 000008
【図７】
2010177829.tif 000009